(57)【要約】【課題】出先での画像出力処理装置の利用状況を記録物として出力することにより、画像データの出力処理を実行したことの証明を容易かつ正確に行うことができるようにする。【解決手段】画像形成装置２のＣＰＵ５１は、証明書発行処理以外の処理が完了すると、ユーザによる証明書の発行要求に応じて、時計部５９から現在日時データを読み取るとともに、終了した処理の内容及び課金情報等のデータをＲＡＭ５４から読み取り、読み取ったデータを記憶部５５に予め格納されている証明書の差込印刷用の画像データにおける所定の差込位置Ｇ１１〜Ｇ１４に合成し、証明書の画像データを作成する。【選択図】図５
2005084527.tif 000002
【特許請求の範囲】
【請求項１】
画像データの出力処理を実行する画像出力処理部と、
画像出力処理部の動作を制御する制御部であって、該制御部が作成した証明情報の画像データを除く画像データについて画像出力部が実行した出力処理に関する証明情報の画像データを作成して画像出力処理部に供給する制御部と、
を設けたことを特徴とする画像出力処理装置。
【請求項２】
前記画像出力処理部は、画像データに基づく画像形成処理によって記録媒体上に画像を形成する画像形成部であり、前記制御部から供給された証明情報の画像データに基づく画像形成処理によって記録媒体上に証明書の画像を形成する請求項１に記載の画像出力処理装置。
【請求項３】
前記画像出力処理部は画像データを外部の装置に送信する画像送信処理部を含み、前記制御部は画像送信処理部が実行した画像データの送信処理に関する証明情報の画像データを作成して画像出力処理部に供給する請求項２に記載の画像出力処理装置。
【請求項４】
前記証明情報の画像データは、前記画像出力処理部で出力処理された画像データの少なくとも一部を含む請求項１に記載の画像出力処理装置。
【請求項５】
前記証明情報は、前記画像出力処理部における画像データの出力処理の日時情報を含む請求項１に記載の画像出力処理装置。
【請求項６】
前記証明情報は、前記画像出力処理部における画像データの出力処理に対する課金情報を含む請求項１に記載の画像出力処理装置。
【請求項７】
前記制御部は、外部の課金装置から入力された課金情報に基づいて前記画像出力処理部における画像データの出力処理を許可する請求項１に記載の画像出力処理装置。
【発明の詳細な説明】
【技術分野】
【０００１】
この発明は、画像データの出力処理に係る装置の利用内容を証明書として出力することのできる機能を備えた画像出力処理装置に関する。
【背景技術】
【０００２】
画像データを出力処理する画像出力処理装置として、コンビニエンスストア等の店舗に不特定の利用者が利用できる状態で設置され、原稿の画像を複写するコピー機等の画像形成装置がある。この種の画像形成装置では近年ディジタル化が進み、スキャナ部において原稿の画像を電子的に画像データとして読み取り、読み取った画像データをプリンタ部においてプリントアウトするプリンタ機能、コピー機能及びＦＡＸ機能を備える複合機能型の画像形成装置が商品化されている。ディジタル化のメリットは、高画質出力、画像の自在な加工、１スキャンマルチコピー、原稿の電子データ保存などが可能になることである。これらのメリットを活用した画像データの出力処理に関する新たなサービスが、種々提案されている（例えば、特許文献１及び２参照。）。
【特許文献１】特開平９−２８４５４４号公報
【特許文献２】特開２００１−２４２７５３号公報
【発明の開示】
【発明が解決しようとする課題】
【０００３】
しかしながら、従来のコンビニエンスストア等の店舗に設置された画像出力処理装置では、コピーサービス、画像送信サービス、画像出力サービスなどを利用した場合に、利用したサービスの種類、利用した画像データの内容及び利用に要した費用等の利用状況の証明を出力できるようにしたものがなかった。このため、利用者が、画像データを出力処理したことの報告や費用の精算を正確に行うことができない問題があった。
【０００４】
本発明が解決しようとする課題は、コンビニエンスストア等の店舗（出先）での画像出力処理装置の利用状況を記録物として出力することにより、画像データの出力処理を実行したことの証明を容易かつ正確に行うことができる画像出力処理装置を提供することにある。
【課題を解決するための手段】
【０００５】
この発明の画像出力処理装置は、上記の課題を解決するための手段として、以下の構成を備えたものである。
【０００６】
（１）画像データの出力処理を実行する画像出力処理部と、
画像出力処理部の動作を制御する制御部であって、該制御部が作成した証明情報の画像データを除く画像データについて画像出力処理部が実行した出力処理に関する証明情報の画像データを作成して画像出力処理部に供給する制御部と、
を設けたことを特徴とする。
【０００７】
この構成においては、画像出力処理部が証明情報の画像データ以外の画像データについての出力処理を実行すると、その出力処理に関する証明情報の画像データについて出力処理が行われる。したがって、出先における画像データの出力処理を証明する情報が画像データとして得られる。
【０００８】
（２）前記画像出力処理部は、画像データに基づく画像形成処理によって記録媒体上に画像を形成する画像形成処理部であり、前記制御部から供給された証明情報の画像データに基づく画像形成処理によって記録媒体上に証明書の画像を形成することを特徴とする。
【０００９】
この構成においては、画像出力処理部が証明情報の画像データ以外の画像データについての出力処理を実行すると、その出力処理に関する証明情報によって構成された証明書が作成される。したがって、出先における画像データの出力処理を証明する証明書が得られる。
【００１０】
（３）前記画像出力処理部は画像データを外部の装置に送信する画像送信処理部を含み、前記制御部は画像送信処理部が実行した画像データの送信処理に関する証明情報の画像データを作成して画像出力処理部に供給することを特徴とする。
この構成においては、画像出力処理部が証明情報の画像データ以外の画像データについての送信処理を実行すると、その送信処理に関する証明情報の画像データについて出力処理が行われる。したがって、出先における画像データの送信処理を証明する情報が画像データとして得られる。
【００１１】
（４）前記証明情報の画像データは、前記画像出力処理部で出力処理された画像データの少なくとも一部を含むことを特徴とする。
【００１２】
この構成においては、画像出力処理部が証明情報の画像データ以外の画像データについての出力処理を実行すると、出力処理された画像データの少なくとも一部を含むその出力処理に関する証明情報の画像データについて出力処理が行われる。したがって、出先における画像データの出力処理を証明する情報が、出力処理に係る画像データを特定した状態で得られる。
【００１３】
（５）前記証明情報は、前記画像出力処理部における画像データの出力処理の日時情報を含むことを特徴とする。
【００１４】
この構成においては、画像出力処理部が証明情報の画像データ以外の画像データについての出力処理を実行すると、出力処理の日時情報を含むその出力処理に関する証明情報の画像データについて出力処理が行われる。したがって、出先における画像データの出力処理を証明する情報が、出力処理を行った日時を特定した状態で得られる。
【００１５】
（６）前記証明情報は、前記画像出力処理部における画像データの出力処理に対する課金情報を含むことを特徴とする。
【００１６】
この構成においては、画像出力処理部が証明情報の画像データ以外の画像データについての出力処理を実行すると、出力処理に対する課金情報を含むその出力処理に関する証明情報の画像データについて出力処理が行われる。したがって、出先における画像データの出力処理を証明する情報が、出力処理の費用を特定した状態で得られる。
【００１７】
（７）前記制御部は、外部の課金装置から入力された課金情報に基づいて前記画像出力処理部における画像データの出力処理を許可することを特徴とする。
【００１８】
この構成においては、外部の課金装置から課金情報が入力されることを条件に画像データの出力処理が行われる。したがって、出力処理に要する費用の支払が、外部の課金装置において受け付けられる。
【発明の効果】
【００１９】
この発明によれば、以下の効果を奏することができる。
【００２０】
（１）画像出力処理部が証明情報の画像データ以外の画像データについての出力処理を実行した際に、その出力処理に関する証明情報の画像データについて出力処理を行うことにより、出先における画像データの出力処理を証明する情報を画像データとして得ることができ、画像データの出力処理に関する報告書の作成や費用の精算を正確かつ容易に行うことができる。
【００２１】
（２）画像出力処理部が証明情報の画像データ以外の画像データについての出力処理を
実行した際に、その出力処理に関する証明情報によって構成された証明書を作成することにより、出先における画像データの出力処理を証明する証明書を得ることができ、画像データの出力処理に関する報告書の作成や費用の精算に関する正確な資料を容易に入手できる。
【００２２】
（３）画像出力処理部が証明情報の画像データ以外の画像データについての送信処理を実行した際に、その送信処理に関する証明情報の画像データについて出力処理を行うことにより、出先における画像データの送信処理を証明する情報を画像データとして得ることができ、画像データの送信処理に関する報告書の作成や費用の精算を正確かつ容易に行うことができる。
【００２３】
（４）画像出力処理部が証明情報の画像データ以外の画像データについての出力処理を実行した際に、出力処理された画像データの少なくとも一部を含むその出力処理に関する証明情報の画像データについて出力処理を行うことにより、出先における画像データの出力処理を証明する情報を、出力処理に係る画像データを特定した状態で得ることができ、画像データの出力処理に関する報告書の作成や費用の精算に関して、より正確な資料を容易に入手できる。
【００２４】
（５）画像出力処理部が証明情報の画像データ以外の画像データについての出力処理を実行した際に、出力処理の日時情報を含むその出力処理に関する証明情報の画像データについて出力処理を行うことにより、出先における画像データの出力処理を証明する情報が、出力処理を行った日時を特定した状態で得ることができ、画像データの出力処理に関する報告書の作成や費用の精算に関して、より正確な資料を容易に入手できる。
【００２５】
（６）画像出力処理部が証明情報の画像データ以外の画像データについての出力処理を実行した際に、出力処理に対する課金情報を含むその出力処理に関する証明情報の画像データについて出力処理を行うことにより、出先における画像データの出力処理を証明する情報が、出力処理の費用を特定した状態で得ることができ、画像データの出力処理に関する費用の精算に関して、より正確な資料を容易に入手できる。
【００２６】
（７）外部の課金装置から課金情報が入力されることを条件に画像データの出力処理を行うことにより、外部の課金装置において費用の支払を受け付けた画像データの出力処理を証明する情報を正確かつ容易に得ることができる。
【発明を実施するための最良の形態】
【００２７】
以下に、この発明の実施形態を図面に基づいて詳述する。図１は、この発明に係る画像出力処理装置を適用した画像処理システムの概要を示す模式図である。この発明に係る画像出力処理装置である画像形成装置２は、コンビニエンスストア等の店舗に設置されており、ルータ３を介してポート端末１、パーソナルコンピュータ４及びＰＯＳ(Point Of Sales)端末５とともに店舗内のＬＡＮ(Local Area Network)７を構成している。また、ＬＡＮ７は、ルータ３を介して通信網上のネットワーク（以下、インターネットという。）８に接続されており、Ｗｅｂサーバ６との間でＨＴＴＰ(Hyper Text Transfer Protocol)により、ＨＴＭＬファイル、コンピュータプログラム及び画像データ等を送受信する。
【００２８】
ポート端末１は、Ｗｅｂサーバ６と通信を行うことによりコンサートチケットの購入、Ｗｅｂサーバ６に格納されたネットワークアルバムから画像のダウンロード等の各種機能に係る処理を実行する。ポート端末１は、インターネット８を経由してダウンロードした画像データ、又は、ポート端末１に備えられたメモリーカード等の記録媒体のリーダにより読み取った画像データを、印刷データとして画像形成装置２へ送信する。
【００２９】
画像形成装置２は、原稿から読み取った画像データについての画像形成処理を行うコピー機能、ポート端末１等の外部装置から送信された印刷データについての画像形成処理を行うプリンタ機能、及び、原稿から読み取った画像データをＷｅｂサーバ６又は図示しない外部のＦＡＸ装置に送信する画像出力機能等の複数の機能を備えている。
【００３０】
画像形成装置２は、コピー機能時に、並設されている有価情報処理装置（以下、コインベンダという。）９に所定の金額が投入されるか、又は、一定額以上の有価情報を記憶したプリペイドカードが挿入されて課金処理がされたことを条件に原稿台に載置された原稿の画像を用紙上に再現する。
【００３１】
また、画像形成装置２は、プリンタ機能時に、ポート端末１に所定の金額が投入されるか、又は、一定額以上の有価情報を記憶したプリペイドカードが挿入されて課金処理がされたことを条件に、ポート端末１から送信された画像データ原稿台に載置された原稿の画像を用紙上に再現する。
【００３２】
さらに、画像形成装置２は、画像出力機能時に、コインベンダ９又はポート端末１に所定の金額が投入されるか、又は、一定額以上の有価情報を記憶したプリペイドカードが挿入されて課金処理がされたことを条件に、原稿台に載置された原稿から読み取った画像データをポート端末１を介して又は直接Ｗｅｂサーバ６又は図示しない外部のＦＡＸ装置に送信する。
【００３３】
ＰＯＳ端末５は、販売時点データや売上データ等を管理し、バッチ処理により管理した管理データをコンビニエンスストア本部のサーバコンピュータ（図示せず）へルータ３及びインターネット８を介して送信する。パーソナルコンピュータ４は、顧客が使用するものではなく、店舗内の管理者が売上データ、アルバイトスタッフのシフト表、ポスター等の作成のために使用する。
【００３４】
図２は、上記画像形成装置のハードウェア構成を示す概略の断面図である。また、図３は、上記画像形成装置、ポート端末及びコインベンダの制御部のブロック図である。画像形成装置２の上面には透明ガラス体の原稿台２０が配置されており、その下方には読取手段としてのスキャナ部３０が配置されている。スキャナ部３０は、露光ランプ３１、第１反射ミラー３２ａ、第２反射ミラー３２ｂ、第３反射ミラー３２ｃ、レンズ３３及び光電変換素子（例えば、ＣＣＤ）３４を含み、露光ランプ３１及び反射ミラー３２ａ〜３２ｃを原稿台２０の下面において水平方向に往復運動させて原稿台２０上面に載置された原稿の画像を露光ランプ３１から照射された光によって露光走査する。
【００３５】
露光ランプ３１による反射光は反射ミラー３２ａ〜３２ｃ及びレンズ３３を介して光電変換素子３４の受光面に結像し、光電変換素子３４は受光面における受光量に応じた信号を出力する。光電変換素子３４から出力された信号は、制御部５０のＡ／Ｄ変換器５８によりディジタル化され、ハードディスク等によって構成された記憶部５５内のコピーデータファイル５５３に記憶される。そして、操作パネル等の入力部５３から入力される操作信号に従って、記憶部５５のコピーデータファイル５５３から画像データが読み出され、画像形成部６０の光走査装置６２へ出力される。
【００３６】
画像形成装置２の制御部５０は、演算手段としてのＣＰＵ(Central Processing Unit)５１にバス５７を介してＲＡＭ(Random Access Memory)５２、ハードディスク等の記憶部５５、液晶ディスプレイ等の表示部５４、並びに、テンキーやスタートキー等の各種入力キー及び表示部５４上に設けられるタッチパネル等によって構成される入力部５３等が接続されている。
【００３７】
また、ＣＰＵ５１には、バス５７を介して光電変換素子３４からの信号をディジタル信号に変換するＡ／Ｄ変換器５８、時間情報をＣＰＵ５１へ出力する時計部５９、画像データに基づく電子写真方式の画像形成処理を行って記録紙Ｐに画像を形成する画像形成部６０、ポート端末１との間で情報を送受信するためのＬＡＮカード等の通信ポート５６、コインベンダ９との間で情報を送受信するためのＲＳ２３２Ｃポート等の補助通信ポート５６１が接続されている。ＣＰＵ５１は、記憶部５５に記憶された制御プログラム５５４に従って、これらの入出力機器を統括して制御する。
【００３８】
記憶部５５には、スキャナ部３０で読み取られた画像データを記憶するコピーデータファイル５５３、及びポート端末装置１から送信されたプリント用の印刷データを記憶する印刷データファイル５５１が格納されている。さらに、記憶部５５には、表示部５４に表示され、又は、図示しない音声出力部から出力されて操作者に対するガイダンスを行う案内情報を記憶した案内情報ファイル５５２が格納されている。
【００３９】
画像形成装置２の略中央部には感光体６７が矢印方向に回転自在に支持されており、この感光体６７の周囲に帯電器６１、光走査装置６２、現像器６３、転写器６４及びクリーナ６５が感光体６７の回転方向に沿ってこの順に配置されて画像形成部６０が構成されている。感光体６７の表面は、帯電器６１により所定電圧に均一に帯電され、光走査装置６２により画像データに基づいて変調された画像光の露光走査を受ける。これによって、感光体６７上には静電潜像が形成される。感光体６７の表面に形成された静電潜像は、現像器６３から供給されるトナーによってトナー像に顕像化される。
【００４０】
感光体６７の回転に先立って給紙部１００内から、記録紙Ｐが一枚ずつ用紙搬送路内に給紙される。給紙された記録紙Ｐは、所定のタイミングで回転を開始するレジストローラ１３０により、感光体６７の回転に同期して感光体６７と転写器６４との間に搬送され、転写器６４によって感光体６７の表面に担持されたトナー像が転写される。トナー像が転写された記録紙Ｐは、定着ローラ１４０を通過する間に加熱及び加圧され、表面にトナー像が堅牢に固着する。定着ローラ１４０を通過した記録紙Ｐは排紙ローラ１５０により搬送され、後処理装置１１０の排紙トレイ１１１に排出される。
【００４１】
両面コピー処理時には、表面にトナー像が転写された後に定着ローラ１４０を通過した記録紙Ｐは、表裏面を反転した状態で再度レジストローラ１３０へ搬送され、所定のタイミングで裏面に対する画像形成処理を受ける。なお、転写工程後に感光体６７に残留したトナーは、クリーナ６５により除去される。また、画像形成装置２がカラー画像形成装置である場合には、それぞれが各色（シアン、マゼンダ、イエロー、ブラック）の画像形成を行う複数の画像形成部６０がタンデム状に配置される。
【００４２】
コインベンダ９は、制御部３０１に、通信ポート３０３、貨幣投入部３０２、リーダ／ライタ３０４及びＲＡＭ３０６を接続して構成されている。貨幣投入部３０２は、投入口からの貨幣の投入を受け付け、投入金額を計算して投入金額に応じた有価情報（以下、金額データという。）を制御部に出力する。リーダ／ライタ３０４は、磁気カード、ＩＣカード等のカード３０５に記憶されている金額データを読み取って制御部３０１へ出力する。
【００４３】
なお、本実施の形態においては、金銭と等価な有価情報を金額データとして説明するが、利用可能な度数データ（例えば、白黒コピーの場合１０円、カラーコピーの場合３０円を１度数とする。）として用いてもよい。また、本実施の形態においては、コインベンダ９に貨幣投入部３０２及びリーダ／ライタ３０４を備えているが、いずれか一方を備えた構成であってもよく、紙幣の投入を受け付けて投入金額を計算する紙幣投入部を設けてもよい。さらに、リーダ／ライタ３０４は、接触式であるか非接触式であるかを問わない。加えて、カード３０５は、必ずしも金額データを記憶するものである必要はなく、クレジットカード番号等の識別子を記憶しておき、この識別子に基づいてクレジット会社等のＷｅｂサーバ６にアクセスし、利用状況に応じた金額を課金処理する形態とすることもできる。
【００４４】
画像形成装置２のコピー機能により、原稿から読み取った画像データに基づく画像形成処理を行う場合、コインベンダ９を用いて課金処理が行われる。コインベンダ９の制御部３０１は、貨幣投入部３０２又はリーダ／ライタ３０４から金額データが入力されると、この金額データをＲＡＭ３０６に記憶する。制御部３０１は、ＲＡＭ３０６に記憶されている金額データが０でない場合、通信ポート３０３を介して画像形成装置２の制御部５０に処理許可データを出力する。画像形成装置２の制御部５０は、１枚の処理が完了する毎に処理終了データをコインベンダ９の制御部３０１へ出力する。
【００４５】
制御部３０１は、処理終了データが入力される毎にＲＡＭ３０６に記憶している金額データを減額し、金額データが０になった場合に、画像形成装置２の制御部５０に処理禁止データを出力する。また、制御部３０１は、図示しない精算ボタンが操作されると、ＲＡＭ３０６に記憶している金額データに応じた金額の貨幣の放出、又は、リーダ／ライタ３０４に挿入されているカード３０５の排出を行い、ＲＡＭ３０６の金額データを消去して、画像形成装置２の制御部５０に処理禁止データを出力する。
【００４６】
なお、制御部３０１から画像形成装置２の制御部５０に対して処理許可データ及び処理禁止データを出力するのではなく、画像形成装置２の制御部５０が一定時間間隔でコインベンダ３０のＲＡＭ３０６へアクセスし、金額データ及び不存在フラグの生成状況を確認するようにしてもよい。
【００４７】
ポート端末１は、ＲＡＭ１２及びＲＯＭ１５を備えたＣＰＵ１１に、バス１７を介して画像形成装置２との間の通信を行うＬＡＮカード等の通信ポート１６、ユーザに対するメッセージを表示する液晶ディスプレイ等の表示部１４、ユーザによる設定入力を受け付けるタッチパネルやキーボード等の入力部１３、記録媒体から記録情報を読み取るリーダ１Ｒ、貨幣の投入を受け付けて投入金額を計算する貨幣投入部１９、及び、取引内容等の情報を印字したレシートを発行する印刷部１８等の入出力機器を接続して構成されている。ＣＰＵ１１は、ＲＯＭ１５に格納された制御プログラム１５Ｐに従って各入出力機器を統括して制御する。
【００４８】
ＲＯＭ１５には、制御プログラム１５Ｐとともに、画像形成装置２用のプリンタドライバ１５１がインストールされている。ポート端末１を介して画像形成装置２のプリンタ機能による画像形成処理を行う場合、ＣＰＵ１１は、ユーザが入力部１３を操作することにより選択したＷｅｂサーバ６からダウンロードされた印刷データ、又は、リーダ１Ｒに挿入されたＣＤ−ＲＯＭやメモリカード等の記録媒体から読み取った印刷データを識別情報とともに画像形成装置２へ出力する。画像形成装置２の制御部５０は、入力された印刷データを印刷データファイル５５１に格納する。ＣＰＵ１１は、印刷データを画像形成装置２に出力した後、印刷部１８から印刷データを特定するための固有の識別情報（例えば、４桁の暗証番号またはバーコード）を印字したレシート１８Ｒを発行する。
【００４９】
なお、ユーザに対する識別情報の通知は、レシート１８Ｒに印字して出力する方法に限定されるものではなく、表示部１４に識別情報を表示する方法、又は、識別情報を赤外線若しくは電波（Bluetooth 等）による近距離通信手段を用いてユーザの携帯電話若しくはＰＤＡ（Personal Digital Assistant）へ送信する方法によることもできる。
【００５０】
画像形成装置２のプリンタ機能による印刷データの画像形成を行う場合、ユーザは、レシート１８Ｒ等を介して通知された識別情報を画像形成装置２の入力部５３から入力し、コインベンダ９の貨幣投入部３０２に所定の金額の貨幣を投入するか、又は、金額データが記憶されたカード３０５をリーダ／ライタ３０４に挿入する。これによって、画像形成装置２の制御部５０は、識別情報に対応する印刷データを印刷データファイル５５１から読み出し、読み出した印刷データに基づいてプリンタ機能による画像形成処理を実行する。
【００５１】
なお、画像形成装置２のプリンタ機能による印刷データの画像形成処理に対する課金処理は、コインベンダ９を用いて行うだけでなく、ポート端末１を用いて行うこともできる。この場合、ポート端末１のＣＰＵ１１は、印刷データのボリューム等に応じて画像形成処理の料金を算出し、算出した料金を表示部１４に表示し、表示された料金に相当する貨幣をユーザが貨幣投入部１９に投入するのを待って、画像形成装置２に対する識別情報及び処理許可データを含む印刷データの出力、及び、印刷部１８による識別情報を印字したレシート１８Ｒの発行を行う。
【００５２】
また、コインベンダ９を用いて課金処理を行う場合にも、ポート端末１のＣＰＵ１１が、印刷データのボリューム等に応じた画像形成処理の料金を算出し、算出した料金を表示部１４に表示するようにしてもよい。さらに、この料金を画像形成装置２に出力し、画像形成装置２はコインベンダ９において料金の課金処理が完了するのを待って印刷データに基づくプリンタ機能の画像形成処理を開始するようにしてもよい。
【００５３】
画像形成装置２の画像出力機能による画像データの送信のうち、原稿から読み取った画像データをインターネット８を介してＷｅｂサーバ６等の外部の装置に送信する処理は、ポート端末１を介して行われる。ユーザは、ポート端末１において入力部１３の操作によって画像出力機能を選択した後、送信する画像データのボリューム情報（例えば、原稿のサイズ及び枚数）及び送信先を特定する送信先情報等を入力する。ポート端末１のＣＰＵ１１は、入力されたボリューム情報に基づいて画像形成処理の料金を算出し、算出した料金を表示部１４に表示し、表示された料金に相当する貨幣をユーザが貨幣投入部１９に投入するのを待って、画像形成装置２に対する識別情報及び原稿枚数情報を含む処理許可データの出力、及び、印刷部１８による識別情報を印字したレシート１８Ｒの発行を行う。
【００５４】
画像形成装置２は、ユーザが入力部５３において処理許可データに対応する識別情報を入力した後に原稿のセットしてスタートキーを押下すると、セットされた原稿からの画像読取処理を開始する。画像形成装置２は、処理許可データに含まれる原稿枚数情報分の原稿から読み取った画像データをポート端末１に出力する。ポート端末１は、画像形成装置２から入力された画像データを、送信先情報によって特定される送信先にルータ３を介して送信する。
【００５５】
なお、コインベンダ９を用いて課金処理を行う場合にも、ポート端末１のＣＰＵ１１が、算出した料金を表示部１４に表示するとともに画像形成装置２に出力し、画像形成装置２はコインベンダ９において料金の課金処理が完了するのを待って原稿からの画像読取処理を開始するようにしてもよい。
【００５６】
画像形成装置２の画像送信機能による画像データの送信のうち、原稿から読み取った画像データを公衆電話回線網を介して外部のＦＡＸ装置に送信するＦＡＸ送信処理は、画像形成装置２によって行われる。画像形成装置２は、ユーザによる入力部５３の操作によってＦＡＸ機能が選択されると、表示部５４に原稿サイズ毎の原稿１枚当りの料金を表示する。
【００５７】
画像形成装置２は、ユーザが原稿サイズ及び原稿枚数に応じた料金についてコインベンダ９で課金処理を完了した後、原稿をセットして送信先のＦＡＸ番号を入力し、さらに、スタートキーを押下すると、セットされた原稿からの画像読取処理を開始する。画像形成装置２は、画像読取処理が完了すると、公衆電話回線網に送信先のＦＡＸ番号を発呼し、送信先のＦＡＸ装置との間で回線が確立すると読み取った画像データを送信する。
【００５８】
なお、画像形成装置２によるＦＡＸ送信処理についての課金処理をポート端末１において行うようにしてもよい。この場合には、ポート端末１において、ユーザによるＦＡＸ機能の選択、並びに、原稿のサイズ及び枚数の入力を受け付け、入力された原稿のサイズ及び枚数に応じた料金を算出して表示部１４に表示し、貨幣投入部１９における課金処理が完了するのを待って画像形成装置２に対する識別情報及び原稿枚数情報を含む処理許可データの出力、及び、印刷部１８による識別情報を印字したレシート１８Ｒの発行を行う。画像形成装置２は、ユーザが入力した識別情報に対応する処理許可データに基づいて、原稿からの画像読取処理、発呼処理及び送信処理を行う。この場合に、送信先のＦＡＸ番号の入力は、ポート端末１又は画像形成装置２の何れかにおいて受け付ける。送信先のＦＡＸ番号の入力をポート端末１において受け付ける場合、入力されたＦＡＸ番号はＦＡＸ送信許可データに含めて画像形成装置２に送信する。
【００５９】
図４は、上記画像形成装置の制御部の処理手順の一部を示すフローチャートである。画像形成装置２のＣＰＵ５１は、コピー機能又はプリンタ機能による画像形成処理、又は、画像出力機能による画像読取処理及びＦＡＸ送信処理が完了すると（Ｓ１）、完了した処理が証明書画像についての画像形成処理（証明書発行処理）であるか否かの判別を行う（Ｓ２）。完了した処理が証明書発行処理でない場合には、ＣＰＵ５１は、ユーザが証明書の発行を要求していたか否かの判別を行う（Ｓ３）。
【００６０】
この証明書の発行の要求は、各処理の開始前にユーザがポート端末１又は画像形成装置２において入力したものである。証明書の発行の要求をポート端末１において受け付けた場合、ポート端末１は証明書の発行要求情報を含む処理許可データを画像形成装置２に出力する。画像形成装置２のＣＰＵ５１は、入力部５３において入力を受け付けた証明書の発行要求、又は、ポート端末１から入力された処理許可データ毎の発行要求情報をＲＡＭ５２の所定のメモリエリアに格納しておき、Ｓ３においてはこのメモリエリアの内容を参照する。なお、証明書発行処理以外の処理完了時に常に証明書を発行する場合には、Ｓ３の処理は不要である。
【００６１】
ユーザが証明書の発行を要求していた場合、ＣＰＵ５１は、証明書の画像データを作成する（Ｓ４）。この証明書の画像データの作成時に、ＣＰＵ５１は、例えば、時計部５９から現在日時データを読み取るとともに、終了した処理の内容及び課金情報等のデータをＲＡＭ５４から読み取り、読み取ったデータを記憶部５５に予め格納されている証明書の差込印刷用の画像データにおける所定の差込位置に合成し、一例として図５に示す状態で証明書の画像データを作成する。
【００６２】
図５に示す例は、画像形成装置２のＦＡＸ機能により、原稿から読み取った画像を外部のＦＡＸ装置に送信する画像出力処理を行ったことを証明する証明書の画像データであり、予め定められた差込位置Ｇ１１〜Ｇ１４に現在日時、処理内容、送信先及び課金情報の各画像データを合成したものである。なお、図６に示すように、証明書の画像データに処理対象の画像データの一部を合成する差込位置Ｇ１５を形成してもよい。これによって、実行した処理の内容を画像によって容易に特定できる状態で証明書を発行することができる。
【００６３】
ＣＰＵ５１は、作成した証明書の画像データに基づいて画像形成部６０における画像形成処理を実行して証明書を発行し（Ｓ５）、証明書の発行が終了すると記憶部５５に格納していたユーザの画像データ（ユーザが実行した処理に係る画像データであり、証明書の差込印刷用の画像データを除く。）を消去する（Ｓ６）。
【００６４】
終了した処理が証明書発行処理である場合、又は、ユーザが証明書の発行を要求していない場合には、直ちに記憶部５５に格納していたユーザの画像データを消去する（Ｓ２→Ｓ６，Ｓ３→Ｓ６）。
【００６５】
以上の処理により、ユーザがコンビニエンスストア等の店舗に設置された画像形成装置２を用いて出先で画像データに係る処理を行った際に、処理の内容や日時を特定する情報を印刷した証明書を画像形成装置２から発行することができる。このため、ユーザか出先で画像形成装置２を利用して画像データに係る処理を実行した場合に、その利用状況である実行した処理の内容を証明書によって証明することができ、報告書の作成や精算処理を正確かつ容易に行うことができる。
【００６６】
なお、画像形成装置２がポート端末１を介することなくインターネット８に接続されている場合には、画像形成装置２においてユーザによる処理の選択を受け付け、課金処理を完了したコインベンダ９からの処理許可データに基づいて画像形成装置２自身がＷｅｂサーバ６等の外部装置との間での印刷データの受信及び画像データの送信を行うようにしてもよい。また、画像形成装置２の画像出力処理には、メモリカード等の記録媒体に対する記録処理を含むことができる。
【００６７】
さらに、画像形成装置２において例えば、コピー処理とＦＡＸ送信処理のように単一のユーザが複数の処理を実行した場合に、複数の処理の実行を証明する単一の証明書を発行するようにしてもよい。この場合、画像形成装置２における処理の実行時にユーザを特定する認証データの入力を受け付け、画像形成装置２において実行した処理の内容をユーザの認証データとともに記憶しておき、証明書の発行要求時に入力された認証データに対応する処理の内容を読み出して証明書の画像データを作成する。
【図面の簡単な説明】
【００６８】
【図１】この発明の実施形態に係る画像出力処理装置を含むシステムの概略の構成を示す図である。
【図２】上記画像形成装置のハードウェア構成を示す模式的断面図である。
【図３】上記システムに含まれる画像形成装置、コインベンダ及びポート端末の制御部の構成を示すブロック図である。
【図４】上記画像形成装置の制御部の処理手順の一部を示すフローチャートである。
【図５】上記画像形成装置が出力する証明書の画像を示す図である。
【図６】同証明書の別の例を示す図である。
【符号の説明】
【００６９】
１  ポート端末
２  画像形成装置
３  ルータ
５  ＰＯＳ端末
６  Ｗｅｂサーバ
７  ＬＡＮ
８  インターネット
９  コインベンダ
３０  スキャナ部
５０  制御部
６０  画像形成部
５１  ＣＰＵ
５３  入力部
５４  表示部
【図１】
2005084527.tif 000003
【図２】
2005084527.tif 000004
【図３】
2005084527.tif 000005
【図４】
2005084527.tif 000006
【図５】
2005084527.tif 000007
【図６】
2005084527.tif 000008